(57)【要約】【課題】縦横に間隔をおいて配設されたリレースイッチをまっすぐ引き抜くためのリレースイッチ引き抜き具及びリレースイッチ引き抜き装置を提供すること。【解決手段】弾性を有する略矩形形状の板材を略Ｕ字形に折り曲げて形成されたリレースイッチ引き抜き具１であって、リレースイッチ４の上下の面を、リレースイッチ引き抜き具１の両挟み部５で挟む。このリレースイッチ引き抜き具１の挟持部６を親指９と中指１０で挟み、Ｕ字状連結部７に人差し指１１をひっかける。まず、親指９と中指１０で、両挟み部２を狭める矢印Ａの方向に力を入れて、リレースイッチ４を挟み、その矢印Ａ方向への力を保持したまま、次に人差し指１１にリレースイッチ４を引き抜く矢印Ｂの方向に力を入れて、リレースイッチ４を引き抜く。【選択図】図３
2007207481.tif 000002
【特許請求の範囲】
【請求項１】
多数のリレースイッチが、縦横に間隔をおいて配設された制御盤から、リレースイッチを抜き取るためのリレースイッチ引き抜き具であって、
各々がリレースイッチの両側のリレースイッチ間に差し込まれ、このリレースイッチを両側から挟み込む一対の向き合った挟み部と、
前記両挟み部に続いてその基端側に設けられ、両挟み部の間隔を狭めるための一対の向き合った挟持部と、
前記両挟持部を連結する連結部とを備え、
前記挟持部の把持を解除したときに、前記両挟み部の間隔が元に戻る復元力を有することを特徴とするリレースイッチ引き抜き具。
【請求項２】
請求項１に記載のリレースイッチ引き抜き具において、
前記両挟み部の前記リレースイッチに接する面側に、滑り止め部材が設けられていることを特徴とするリレースイッチ引き抜き具。
【請求項３】
請求項２に記載のリレースイッチ引き抜き具において、
前記滑り止め部材は、ゴム板によって形成されていることを特徴とするリレースイッチ引き抜き具。
【請求項４】
多数のリレースイッチが、縦横に間隔をおいて配設された制御盤から、リレースイッチを抜き取るためのリレースイッチ引き抜き装置であって、
リレースイッチを挟む一対の向かい合うクランパを有する把持手段と、
前記両クランパ各々の外側に該クランパとの間に隙間を存して設けられ、前記クランパと共に前記リレースイッチの両側のリレースイッチ間に各々差し込まれる一対のサポータを有する支持手段と、
前記各クランパと前記サポータとの隙間を進退可能に設けられ、前記制御盤に向かって前進することによって、前記両クランパが前記リレースイッチを挟むように前記隙間を拡大させる一対のスペーサを有する作動手段と、
前記スペーサを後退方向に付勢するリターンスプリングと、前記リターンスプリングの付勢に抗して前記スペーサを前進させる操作レバーとを有する操作手段とを備えることを特徴とするリレースイッチ引き抜き装置。
【請求項５】
請求項４に記載のリレースイッチ引き抜き装置において、
前記クランパの前記リレースイッチに接する面側に、滑り止め部材が設けられていることを特徴とするリレースイッチ引き抜き装置。
【請求項６】
請求項５に記載のリレースイッチ引き抜き装置において、
前記滑り止め部材は、ゴム板によって形成されていることを特徴とするリレースイッチ引き抜き装置。
【発明の詳細な説明】
【技術分野】
【０００１】
本発明は、縦横に間隔をおいて配設されたリレースイッチを抜き取るための引き抜き具および引き抜き装置に関するものである。
【背景技術】
【０００２】
従来、火力発電所におけるポンプや電動機のモーターを起動させる起動条件や、停止させる停止条件といった条件作成を、人の手で、制御盤に配設されている多数のリレースイッチを抜き差しすることによって、模擬的に行っている。
【０００３】
リレースイッチとは、電気の流れをつなげたり遮断したりするスイッチで、電磁石にわずかな電流を流すことによって、スイッチのオン・オフができるものである。オンとなって流れた電流を、他のリレースイッチの電磁石に流すと、そのリレースイッチのオン・オフを制御できることになり、これを組み合わせることにより、入力と出力の関係が意図通りになる回路ができることになる。
【発明の開示】
【発明が解決しようとする課題】
【０００４】
しかしながら、制御盤には多数のリレースイッチが比較的狭い間隔で縦横に配設されているため、指がリレースイッチとリレースイッチとの隙間に入りにくく、リレースイッチを指で掴むことが難しい。そのため、引き抜きに時間がかかる、引き抜き作業中に指、手等を痛める、まっすぐ引き抜くのが困難となる等の問題が生じる。また、まっすぐ引き抜くのが困難であるため、自然と、上下左右に動かしながら引き抜いたり、無理に斜め方向に引き抜いたりしてしまう。しかし、このような抜き方をしてしまうと、リレースイッチ本体の端子が曲がってしまったり、ソケット孔に傷がついてしまう。そうなると、リレースイッチの再利用ができなくなったり、リレースイッチを再利用したときに、接触不良等が起こる可能性がある。
【０００５】
本発明は、かかる点に鑑みてなされたものであり、その目的とするところは、縦横に間隔をおいて配設されたリレースイッチをまっすぐ引き抜くためのリレースイッチ引き抜き具及びリレースイッチ引き抜き装置を提供することにある。
【課題を解決するための手段】
【０００６】
本発明は、縦横に間隔をおいて配設されたリレースイッチを容易に引き抜くことができるようにしたものである。
【０００７】
第１の発明は、多数のリレースイッチが、縦横に間隔をおいて配設された制御盤から、リレースイッチを抜き取るためのリレースイッチ引き抜き具であって、各々がリレースイッチの両側のリレースイッチ間に差し込まれ、このリレースイッチを両側から挟み込む一対の向き合った挟み部と、前記両挟み部に続いてその基端側に設けられ、両挟み部の間隔を狭めるための一対の向き合った挟持部と、前記両挟持部を連結する連結部とを備え、前記挟持部の把持を解除したときに、前記両挟み部の間隔が元に戻る復元力を有することとした。
【０００８】
この構成によれば、一対の向き合った挟み部各々を、リレースイッチの両側のリレースイッチ間に差し込み、両挟み部の間隔を狭めるように両挟持部に力を加えることによってリレースイッチを挟み、そして、リレースイッチを引き抜く。また、挟持部の把持を解除したときに、前記両挟み部の間隔は復元力によって元に戻る。これらのことによって、リレースイッチを直接指で掴むことなく引き抜くことができるため、手、指等を痛めることなく引き抜き作業を行うことができると共に、簡単に素早く引き抜くことができる。
【０００９】
第２の発明は、請求項１より、前記両挟み部の前記リレースイッチに接する面側に、滑り止め部材が設けられていることとした。
【００１０】
この構成によれば、両挟み部の、リレースイッチに接する面側に滑り止め部材を設けることで、リレースイッチを引き抜くときに、両挟み部がリレースイッチを滑るのを防ぐことができる。
【００１１】
第３の発明は、請求項２より、前記滑り止め部材は、ゴム板によって形成されていることとした。
【００１２】
この構成によれば、滑り止め部材にゴム板が用いられることで、リレースイッチを引き抜くときに両挟み部がリレースイッチを滑りにくくなり、リレースイッチを抜き易くすることができる。また、ゴム材は電気を通さないので、リレースイッチが漏電していたとしても、作業者は感電することなく作業をすることができる。
【００１３】
第４の発明は、多数のリレースイッチが、縦横に間隔をおいて配設された制御盤から、リレースイッチを抜き取るためのリレースイッチ引き抜き装置であって、リレースイッチを挟む一対の向かい合うクランパを有する把持手段と、前記両クランパ各々の外側に該クランパとの間に隙間を存して設けられ、前記クランパと共に前記リレースイッチの両側のリレースイッチ間に各々差し込まれる一対のサポーターを有する支持手段と、前記各クランパと前記サポータとの隙間を進退可能に設けられ、前記制御盤に向かって前進することによって、前記両クランパが前記リレースイッチを挟むように前記隙間を拡大させる一対のスペーサを有する作動手段と、前記スペーサを後退方向に付勢するリターンスプリングと、前記リターンスプリングの付勢に抗して前記スペーサを前進させる操作レバーとを有する操作手段とを備えることとした。
【００１４】
この構成によれば、まず、一対の向かい合うクランパとサポータとが、リレースイッチの両側のリレースイッチ間に差し込まれる。次に、操作レバーを操作することにより、両クランパとサポータとの隙間を、一対のスペーサが前進し、両クランパとサポータとの隙間を拡大することによって、両クランパがリレースイッチを挟むように作動する。そして、操作レバーの操作を保持したまま、リレースイッチ引き抜き装置を手前に引くことで、リレースイッチを引き抜くことができる。このことによって、リレースイッチを直接指で掴むことなく引き抜くことができるため、手、指等を痛めることなく引き抜き作業を行うことができると共に、簡単に素早く引き抜くことができる。さらに、操作レバーを用いることで、引き抜き操作をより容易にすることができる。
【００１５】
第５の発明は、請求項４より、前記クランパの前記リレースイッチに接する面側に、滑り止め部材が設けられていることとした。
【００１６】
この構成によれば、両クランパのリレースイッチに接する面側に滑り止め部材を設けることで、リレースイッチを引き抜くときに、両クランパがリレースイッチを滑るのを防ぐことができる。
【００１７】
第６の発明は、請求項５より、前記滑り止め部材は、ゴム板によって形成されていることとした。
【００１８】
この構成によれば、滑り止め部材にゴム板が用いられることで、リレースイッチを引き抜くときに、両クランパがリレースイッチを滑りにくくなり、リレースイッチを抜きやすくすることができる。また、ゴム材は電気を通さないので、リレースイッチが漏電していたとしても、作業者は感電することなく作業をすることができる。
【発明の効果】
【００１９】
上記第１の発明によれば、指で直接リレースイッチを掴まなくても良いため、簡単に素早く、かつ指や手を痛めることなくリレースイッチを引き抜くことができる。また、この引き抜き具を使用することで、リレースイッチをまっすぐ引き抜くことができるため、リレースイッチ本体の端子を曲げてしまったり、ソケット孔に傷をつけてしまうということがなくなり、リレースイッチを繰り返し使用することができる。さらに、この引き抜き具は、リレースイッチとリレースイッチとの間の隙間を、この引き抜き具が差し込める幅にまで抑えることができるため、省スペースが可能となる。
【００２０】
上記第２の発明によれば、滑り止め部材を設けることで、リレースイッチを引き抜くときに、両挟み部とリレースイッチとが滑るのを防止することができ、リレースイッチが引き抜きやすくなる。さらに、滑り止めが設けられているので、誤ってリレースイッチを落下させるのを防止することができる。また、滑り止め部材を設けることで、挟持部を挟む力を軽減させることができる。
【００２１】
上記第３の発明によれば、滑り止め部材にゴム板を用いることで、リレースイッチを引き抜き易くすることができる。また、ゴム板は安価で、加工しやすいので、滑り止め部材の交換が容易にできる。さらにゴムは電気を通さないので、リレースイッチが漏電していたとしても、作業者は感電することがない。
【００２２】
上記第４の発明によれば、リレースイッチをクランパが挟んで抜き取る装置であるので、直接指でリレースイッチを掴む必要がない。また、操作レバーを操作することにより、クランパを通じてリレースイッチは把持されるため、クランパ自体を指で挟持してリレースイッチを引き抜く必要もない。これらのことによって、簡単に素早く、かつ指や手を痛めることなくリレースイッチを引き抜くことができる。また、この引き抜き装置を使用することで、リレースイッチをまっすぐ引き抜くことができるため、リレースイッチ本体の端子を曲げてしまったり、ソケット孔に傷をつけてしまうということがないので、リレースイッチを繰り返し使用することができる。
【００２３】
上記第５の発明によれば、滑り止め部材を設けることで、リレースイッチを引き抜くときに、両クランパとリレースイッチとが滑るのを防ぐことができ、リレースイッチが引き抜き易くなり、ほぼ確実にリレースイッチを引き抜くことができる。さらに、滑り止めが設けられているので、誤ってリレースイッチを落下させるのを防止することができる。
【００２４】
上記第６の発明によれば、滑り止め部材にゴム板を用いることで、リレースイッチを引き抜き易くすることができる。また、ゴム板は安価で、加工しやすいので、滑り止め部材の交換が容易にできる。さらにゴムは電気を通さないので、リレースイッチが漏電していたとしても、作業者は感電することがない。
【発明を実施するための最良の形態】
【００２５】
以下、本発明の実施形態を図面に基づいて詳細に説明する。
【００２６】
《発明の実施形態１》
図１は、制御盤２にリレースイッチ４が配設されている状態を示している。
【００２７】
制御盤２には、リレースイッチ４を取り付けるためのソケット３が、間隔を空けて設けられている。リレースイッチ４は、このソケット３に差し込まれることで、制御盤に配設されている。リレースイッチ引き抜き具１は、リレースイッチ４とリレースイッチ４との隙間に、リレースイッチ４を挟む位置関係になるように両挟み部５を差し込むことで使用される。
【００２８】
図２は、本発明の実施形態１に係るリレースイッチ引き抜き具１を斜め上から見た斜視図である。
【００２９】
リレースイッチ引き抜き具１は、弾性を有する略矩形形状の板材を略Ｕ字形に折り曲げて形成されており、その先端部分には一対の向き合った挟み部５を有し、両挟み部５に続いてその基端側には一対の向き合った挟持部６が設けられている。両挟持部６の基端は、Ｕ字状連結部７によって連結されている。また、両挟み部５のリレースイッチ４と接する面側には、両挟み部５がリレースイッチ４と滑るのを防ぐための滑り止め部材として、略矩形形状のゴム板８が各々取り付けてある。
【００３０】
図３は、図１で示したリレースイッチ引き抜き具１を使用している状態を示している。
【００３１】
制御盤２に配設されているリレースイッチ４の上下の面を、リレースイッチ引き抜き具１の両挟み部５で挟む。このとき、リレースイッチ４の上下の面と、ゴム板８とが接しているため、両挟み部５がリレースイッチ４と滑りにくくなっている。このリレースイッチ引き抜き具１の挟持部６を親指９と中指１０で挟み、Ｕ字状連結部７に人差し指１１をひっかける。まず、親指９と中指１０で、挟持部６を狭める矢印Ａの方向に力を入れて、リレースイッチ４を挟み、その矢印Ａ方向への力を保持したまま、次に人差し指１１にリレースイッチ４を引き抜く矢印Ｂの方向に力を入れて、リレースイッチ４を引き抜く。
【００３２】
以上のことから、リレースイッチ引き抜き具１を使用することで、リレースイッチ４を直接指で掴むことなくリレースイッチ４を引き抜くことができるため、指、手等を痛めることがない。また、リレースイッチ４を上下左右に動かしたり、無理に斜め方向に引き抜かなくても、簡単にまっすぐ引き抜くことができる。このことにより、リレースイッチ４本体の端子を曲げてしまったり、ソケット孔に傷をつけてしまうということがなくなり、リレースイッチ４を繰り返し使用することができる。
【００３３】
また、このリレースイッチ引き抜き具１を使用すれば、リレースイッチ４の両側のリレースイッチ４間には、両挟み部５を挟み込むだけのスペースがあればよいので、リレースイッチ４間の間隔をリレースイッチ引き抜き具１が差し込める幅にまで抑えることができるため、省スペースが可能となる。
【００３４】
さらに、滑り止め部材としてゴム板８を取り付けることで、リレースイッチ４を引き抜くときに、両挟み部５とリレースイッチ４とが滑るのを防止することができ、リレースイッチ４が引き抜きやすくなる。また、ゴム板８が設けられているので、誤ってリレースイッチ４を落下させるのを防止することができると共に、挟持部６を挟む力を軽減させることができる。また、ゴム板は安価で、加工しやすいので、滑り止め部材の交換が容易にできるだけでなく、電気を通さないという性質から、リレースイッチ４が漏電していたとしても、作業者は感電することがない。
《発明の実施形態２》
図４は、本発明の実施形態２に係るリレースイッチ引き抜き装置１２の断面図及びこの装置１２をリレースイッチ４に装着し、なおかつ操作レバー２４を操作している時の図である。なお、本実施形態では、リレースイッチを挟む側を前側としている。
【００３５】
まず、リレースイッチ引き抜き装置１２の構成について詳細に説明する。
【００３６】
リレースイッチ引き抜き装置１２は、ハウジング（支持手段）と、リレースイッチ４を挟むための把持手段と、把持手段を作動させるための作動手段と、作動手段を操作するための操作手段とを有する。
【００３７】
ハウジング（支持手段は）、先端が開口している筒状部１３と、グリップ１４と、引き金ガード１５とを備えたピストル形をしている。筒状部１３の上壁先端側と下壁先端側は、一対の向き合ったサポータ１７となっている。
【００３８】
把持手段は、弾性を有する略矩形形状の板材より形成された一対の向き合ったクランパ１６と、それらを両クランパ１６の後端で支持する基端部材１８とを備えている。各クランパ１６とサポータ１７との間には、隙間が形成されている。リレースイッチ４は、両クランパ１６によって把持される。また、両クランパ１６のリレースイッチ４に接する面側には、各々略矩形形状のゴム板１９が取り付けられている。
【００３９】
作動手段は、一対のスペーサ２０とローラー２１とを備えている。各スペーサ２０は、サポータ１７と、クランパ１６との間に設けられた隙間に、各々前後に進退可能に設けられている。各スペーサ２０の後端部は、連結部２２によって連結されている。また、スペーサ２０は、前方に行くほど細くなるテーパー状板材で形成され、各スペーサ２０は、その前端にストッパー２３を備えている。操作レバー２４を操作したときには、ストッパー２３がソケット３に当たることでスペーサ２０が無制限に前進するのを防ぎ、操作レバー２４の操作を解除したときは、スペーサ２０が後退して、ストッパー２３がクランパ１６の前端部にひっかかり、それ以上スペーサ２０が後退するのを防ぐというストッパーの役割を果たしている。さらに、ストッパー２３がソケット３に当たることで、スペーサ２０の位置が固定される。スペーサ２０が固定されることで、スペーサ２０の不安定性はなくなり、クランパ１６はリレースイッチ４を把持しやすくなる。
【００４０】
また、このスペーサ２０を円滑に進退させるために、両サポータ１７に支持されたローラー２１ａと、両クランパ１６に支持されたローラー２１ｂとが各々複数個ずつ設けられている。
【００４１】
操作手段は、操作レバー２４、リターンスプリング２５、ロッド２６、リンク２７、及びピン２８を備えている。操作レバー２４は、グリップ１４に形成された操作レバー通し孔２９から外側に出ている引き金部２４ａと、グリップ１４内にあり、グリップ１４に形成された操作レバー通し孔２８からグリップ１４内側に延びる突出部２４ｂとで構成されており、グリップ１４に設けられたピン２８によって回動可能に支持されている。突出部２４ｂには、スペーサ２０を後退方向に付勢するリターンスプリング２５と、ロッド２６とが結合しており、ロッド２６はピン２８を介してリンク２７と連結し、リンク２７はピン２８を介して、スペーサ２０と連結している。
【００４２】
次に、リレースイッチ引き抜き装置１２の作動について説明する。
【００４３】
図４に示しているように、作業者は、リレースイッチ引き抜き装置１２の両クランパ１６と、両クランパ１６と隙間を存して外側に設けられている各サポータ１７とを、それぞれリレースイッチ４間の隙間に、リレースイッチ４を挟む位置関係になるように差し込む。そして、操作レバー２４を矢印の方向に操作すると、リターンスプリング２５がもたらすスペーサ２０における後退方向の付勢に抗して、ロッド２６とリンク２７を介してスペーサ２０が前進する。スペーサ２０がサポータ１７に支持されているローラー２１ａと、クランパ１６に支持されているローラー２１ｂとによって、円滑にクランパ１６とサポータ１７との隙間を前進する。同時に、スペーサ２０は先細りのテーパー状に形成されているから、前進するにつれて、クランパ１６とサポータ１７との隙間を拡大させる。
【００４４】
このことによって、両クランパ１６間の隙間は狭まり、リレースイッチ４は、両クランパ１６に把持される。
【００４５】
また、さらに操作レバー２４を操作すると、ストッパー２３がソケット３に当たり、スペーサ２０の過度の前進と、不安定性とを防止する。
【００４６】
そして、操作レバー２４の操作を保持したまま、リレースイッチ引き抜き装置１２を作業者の手前に引くことで、リレースイッチ４を制御盤２のソケット３から引き抜くことができる。
【００４７】
以上のことから、リレースイッチ引き抜き装置１２を使用することで、リレースイッチ４を直接指で掴むことなくリレースイッチ４を引き抜くことができるため、指、手等を痛めることがない。また、リレースイッチ４間の両隙間に無理に指を入れる必要がないため、リレースイッチ４を上下左右に動かしたり、斜め方向に動かしたりして引き抜かなくても、簡単にまっすぐ引き抜くことができる。
【００４８】
また、操作レバー２４を操作することによって、両クランパ１６を通じてリレースイッチ４は把持されるため、クランパ１６自体を指で挟持してリレースイッチ４を引き抜く必要もないので、より簡単に、かつ素早くリレースイッチ４を引き抜くことができる。
【００４９】
さらに、滑り止め部材としてゴム板１９を取り付けることで、リレースイッチ４を引き抜くときに、両クランパ１６とリレースイッチ４とが滑るのを防止することができ、リレースイッチ４が引き抜きやすくなる。また、ゴム板１９が設けられており、さらに筒状部１３が設けられているので、誤ってリレースイッチ４を落下させるのを防止することができる。また、ゴム板は安価で、加工しやすいので、滑り止め部材の交換が容易にできるだけでなく、電気を通さないという性質から、リレースイッチ４が漏電していたとしても、作業者は感電することがない。
【００５０】
本実施形態では、滑り止め部材にゴム板を用いているが、ゴムは板状でなくてもよい。また、ゴム板でなくても、フェルト等の滑り止め部材であってもよい。
【００５１】
また、本実施形態では、リレースイッチ４の上下から挟むこととしているが、左右を挟んでもよい。
【００５２】
本実施形態２のリレースイッチ引き抜き装置１２ではピストル形を形成しているが、この装置における外観形状はこの限りではない。
【００５３】
また、本実施形態２ではスペーサ２０を先細りのテーパー状にしたが、これに代えて次の２つの形態を採用しても、本実施形態２に示したものと同様の効果が得られる。
【００５４】
その１つは、サポータ１７を前端に行くほど太くなるテーパー状にすることである。もう１つは、サポータ１７に支持されている複数のローラーを、前端に行くほど、クランパ１６側への突出量が多くなるように設ける、或いはクランパ１６に支持されている複数のローラーを前端に行くほど、クランパ１６側への突出量が多くなるように設けることである。
【００５５】
かかる形態であれば、スペーサ１７がテーパー状でなく、スペーサ１７全体が同じ厚さであっても、本実施形態２と同様の効果が得られる。
【００５６】
また、前記実施形態２と前記テーパー状サポータ１７、又はローラー突出量を変化させる形態とを組み合わせてもよい。
【産業上の利用可能性】
【００５７】
以上説明したように、本発明は、縦横に間隔をおいて配設された制御盤からリレースイッチを抜き取る作業について有用である。
【図面の簡単な説明】
【００５８】
【図１】リレースイッチが制御盤に配設されている状態を示す側面図である。
【図２】図１は本発明の実施形態１に係るリレースイッチ引き抜き具を斜め上から見た斜視図である。
【図３】図２は図１に示すリレースイッチ引き抜き具の装着状態を示す側面図である。
【図４】本発明による実施形態２のリレースイッチ引き抜き装置を、リレースイッチに装着している状態を示す断面図である。
【符号の説明】
【００５９】
１リレースイッチ引き抜き具
２制御盤
４リレースイッチ
５挟み部
６挟持部
８ゴム板
１２リレースイッチ引き抜き装置
１６クランパ
１７サポータ
１９ゴム板
２０スペーサ
２４操作レバー
２５リターンスプリング
【図１】
2007207481.tif 000003
【図２】
2007207481.tif 000004
【図３】
2007207481.tif 000005
【図４】
2007207481.tif 000006